(57)【要約】【課題】簡単かつ安価に頭頂部の脱毛部のサイズを測定可能な脱毛部サイズ測定用定規を提供する。【解決手段】頭頂部脱毛タイプ用の部分かつらを製造する際の脱毛部のサイズを測定するシート状の脱毛部サイズ測定用定規であって、少なくとも頭頂部に当てがわれる定規基部と、該定規基部の外周縁から放射状に延出され、かつ先端が前記脱毛部の外周縁に当てがわれる３本以上の枝状定規部を有するように構成したので、簡単かつ安価に脱毛部のサイズを測定することができる。【選択図】図１
0003163135.tif 000002
【実用新案登録請求の範囲】
【請求項１】
頭頂部脱毛タイプ用の部分かつらを製造する際の脱毛部のサイズを測定するシート状の脱毛部サイズ測定用定規であって、
少なくとも頭頂部に当てがわれる定規基部と、
該定規基部の外周縁から放射状に延出され、かつ先端が前記脱毛部の外周縁に当てがわれる３本以上の枝状定規部を有することを特徴とする脱毛部サイズ測定用定規。
【請求項２】
前記定規基部には、前頭部、左側頭部、右側頭部、左側後頭部および右側後頭部のうち、それぞれ対応する何れか１つに先端が当てがわれる５本の前記枝状定規部が形成されたことを特徴とする請求項１に記載の脱毛部サイズ測定用定規。
【請求項３】
各前記枝状定規部の先端部には、係止部材を介して、残存する頭髪に係止可能な膨出部が形成されていることを特徴とする請求項１または請求項２に記載の脱毛部サイズ測定用定規。
【考案の詳細な説明】
【技術分野】
【０００１】
本考案は、脱毛部サイズ測定用定規、詳しくは頭頂部脱毛タイプ用の部分かつらを製造する際の脱毛部のサイズを測定するシート状の脱毛部サイズ測定用定規に関する。
【背景技術】
【０００２】
頭頂部の脱毛部を隠蔽する部分かつらは、頭髪の脱毛部とその周辺とを覆う面積を有するシート状のかつらベースに、多数の毛髪が植設されたもので、両面テープまたはヘヤピンなどを使用し、装着者の脱毛部に装着する構成となっている（例えば、特許文献１）。
安価な部分かつらの製造方法としては、例えば以下の方法が知られている。すなわち、まず頭部の形に合わせたポリウレタン系エラストマーシート製のかつらベースを作製する。次に、その表面に多数の毛髪を植設し、かつらを作製する。その後、かつらの一部分を、着用者の頭頂部の脱毛部に合わせてカットすることで頭頂部用の部分かつらとする。
【０００３】
現在、着用者が頭頂部用の部分かつらを入手するには、着用者が店舗に出向き、陳列された複数サイズのかつらを順次着用することで、自分の頭部サイズに合ったものを選び出す。その後、購入したかつらを着用者の頭頂部の脱毛部に合わせてカットすることで、着用者専用の部分かつらが得られる。
【先行技術文献】
【特許文献】
【０００４】
【特許文献１】特開平５−９３３０６号公報
【考案の概要】
【考案が解決しようとする課題】
【０００５】
しかしながら、従来、着用者の頭頂部の脱毛部サイズを測定する簡易な定規が存在しなかった。そのため、上述したように着用者はかつらを販売する店舗を訪れ、サイズが異なる複数のかつらを実際に着用しなければ、自分の頭部に合ったものを見つけることができなかった。
本考案は、このような問題点に鑑みなされたもので、簡単かつ安価に頭頂部の脱毛部のサイズを測定することができる脱毛部サイズ測定用定規を提供するものである。
【課題を解決するための手段】
【０００６】
上記の課題を達成するため、本考案は、次のように構成されている。
本考案の脱毛部サイズ測定用定規は、頭頂部脱毛タイプ用の部分かつらを製造する際の脱毛部のサイズを測定するシート状の脱毛部サイズ測定用定規であって、少なくとも頭頂部に当てがわれる定規基部と、該定規基部の外周縁から放射状に延出され、かつ先端が前記脱毛部の外周縁に当てがわれる３本以上の枝状定規部を有した構成となっている。
【０００７】
脱毛部サイズ測定用定規とは、頭頂部脱毛タイプ用の部分かつらの製造に際して、着用者の頭頂部の脱毛部サイズを測定する簡易な定規である。使用時には、例えばＳＭＬなど複数サイズの脱毛部サイズ測定用定規を用意し、その何れかが着用者の脱毛部の大きさに合致することで脱毛部サイズを概略測定するものである。
本考案の頭頂部とは、医学的に厳密な意味ではなく、一般的に頭頂部と呼ばれる部分及びその周縁部を指す。従って、脱毛部の箇所によっては、一般的に頭頂部と呼ばれる部分よりも、前頭部側、後頭部側又は側頭部側の場合もある。
シートとしては、例えばパソコン用の普通紙、樹脂コーティング紙、厚紙などの紙を採用することができる。その他、合成樹脂シート、布帛（織布、不織布、編布）、などを採用することができる。脱毛部サイズ測定用定規は、シート状の安価なものであるため、使い捨てができる。
【０００８】
定規基部は、脱毛部サイズ測定用定規の中心部（本体）となるもので、例えば平面視して円形または楕円形のシートからなる。定規基部の大きさは、少なくとも頭頂部を隠蔽可能な大きさであればよく、この頭頂部の前後左右の一部を含む大きさのものでもよい。
枝状定規部は、定規基部と一体形成された細長いシート片で、その使用本数は３本、４本、５本または６本以上でもよい。各枝状定規部は、定規基部の外周縁に均等な角度（例えば３本の場合には１２０°毎、５本４本の場合には９０°毎）で配置した方が、脱毛部サイズの測定精度が高まるので好ましい。
【０００９】
また、本考案の脱毛部サイズ測定用定規は、前記定規基部に、前頭部、左側頭部、右側頭部、左側後頭部および右側後頭部のうち、それぞれ対応する何れか１つに先端が当てがわれる５本の前記枝状定規部を形成するようにしてもよい。
脱毛部が頭頂部の周縁の場合には、脱毛部に当てがわれる定規基部を起点として、前頭部側、左側頭部側、右側頭部側、左側後頭部側および右側後頭部側を指す。
【００１０】
さらに、本考案の脱毛部サイズ測定用定規は、各前記枝状定規部の先端部に、係止部材を介して、残存する頭髪に係止可能な膨出部を形成するようにしてもよい。
係止部材としては、例えば両面テープ、クリップなどを採用することができる。
膨出部は各枝状定規部の先端部に同一のシートで一体形成される。
膨出部を平面視した形状としては、例えば円形、楕円形、四角形などが挙げられる。
膨出部は、平面視して枝状定規部より外方へはみ出しており、はみ出した分だけ係止部材を介して、残存する頭髪に枝状定規部を係止し易い。
【考案の効果】
【００１１】
本考案の脱毛部サイズ測定用定規によれば、サイズが異なる脱毛部サイズ測定用定規を用意し、各脱毛部サイズ測定用定規を頭部に当てがい、脱毛部サイズを測定する。具体的には、順次選出された脱毛部サイズ測定用定規において、まず定規基部を少なくとも頭頂部に当てがい、この状態を保持して、各枝状定規部を頭部に押し当てながら各枝状定規部の先端が脱毛部の外周縁に配置されるかを視認する。そして、該当した脱毛部サイズ測定用定規のサイズが、被測定者の脱毛部（頭皮）のサイズと推定する。これにより、簡単かつ安価に頭頂部の脱毛部のサイズを測定することができる。
【００１２】
また、定規基部に、前頭部、左側頭部、右側頭部、左側後頭部および右側後頭部のうち、それぞれ対応する何れか１つに先端が当てがわれる５本の枝状定規部を形成した場合には、被測定者の脱毛部サイズをその周方向へ略７２°毎に測定評価することができるため、脱毛部の測定精度を高めることができる。
【００１３】
さらに、各枝状定規部の先端部に膨出部を形成した場合には、係止部材を使用して、残存している頭髪に各膨出部を係止することにより、脱毛部サイズ測定用定規を着用者の頭部に固定することができる。
【図面の簡単な説明】
【００１４】
【図１】本考案の実施例１に係る脱毛部サイズ測定用定規の平面図である。
【図２】本考案の実施例１に係る脱毛部サイズ測定用定規がプリントされた用紙の平面図である。
【図３】本考案の実施例１に係る脱毛部サイズ測定用定規の使用状態を示す側面図である。
【図４】本考案の実施例１に係る脱毛部サイズ測定用定規の使用状態を示す平面図である。
【考案を実施するための形態】
【００１５】
以下、本考案の実施例を具体的に説明する。ここでは、着用者が部分かつらを得るために、着用者の脱毛部サイズに合った頭頂部脱毛タイプ用の部分かつらを購入するための脱毛部サイズ測定用定規を例にとる。
【実施例】
【００１６】
図１〜図４において、１０は本考案の実施例１に係る脱毛部サイズ測定用定規で、脱毛部サイズ測定用定規１０は、部分かつらの着用者の脱毛部のサイズを測定する使い捨て可能な紙製の定規である。ここでは、脱毛部サイズ測定用定規１０は、ＳＭＬとサイズが異なる３種類のものを用意する（図１の脱毛部サイズ測定用定規１０はＭサイズ）。
脱毛部サイズ測定用定規１０は、インターネット上のかつら販売店のホームページで公開された二次元画像データを、自宅でＡ４サイズの普通紙にプリントアウトし(図２)、輪郭線に沿ってハサミでカットしたものである。
【００１７】
図１および図２に示すように、脱毛部サイズ測定用定規１０は、着用者の頭頂部に当てがわれる定規基部１１と、定規基部１１の外周縁から放射状に延出され、かつ先端が脱毛部（露出した頭皮）の外周縁に当てがわれる第１〜第５の枝状定規部１２Ａ〜１２Ｅを有した構成となっている。第１の枝状定規部１２Ａは前頭部方向へ延び、第２の枝状定規部１２Ｂは左側頭部方向へ延び、第３の枝状定規部１２Ｃは右側頭部方向へ延びる。また、第４の枝状定規部１２Ｄは左側後頭部方向へ延び、第５の枝状定規部１２Ｅは右側後頭部方向へ延びる。
第１〜第５の枝状定規部１２Ａ〜１２Ｅの各先端部には、図示しない両面テープまたはクリップなどの係止部材を介して、残存する頭髪に第１〜第５の枝状定規部１２Ａ〜１２Ｅの先端部を係止可能な膨出部１３が一体形成されている。膨出部１３は、各枝状定規部１２Ａ〜１２Ｅの長さ方向に直交する方向へ長軸が向いた略楕円形状を有している。
【００１８】
なお、図２において、Ｆは脱毛部サイズ測定用定規１０の前頭部側、Ｂは脱毛部サイズ測定用定規１０の後頭部側、Ｅ，Ｅは脱毛部サイズ測定用定規１０の左右の側頭部側を示す。この脱毛部サイズ測定用定規１０はＭサイズであるため、Ｆ−Ｂの長さは１８ｃｍ、Ｅ−Ｅの長さは１６ｃｍに規定されている。なお、Ｓサイズの脱毛部サイズ測定用定規１０の場合、Ｆ−Ｂの長さは１５ｃｍ、Ｅ−Ｅの長さは１３ｃｍに規定されている。また、Ｌサイズの脱毛部サイズ測定用定規１０の場合、Ｆ−Ｂの長さは２１ｃｍ、Ｅ−Ｅの長さは１９ｃｍに規定されている。定規の大きさは、Ｓ，Ｍ，Ｌサイズに制限されるものではなく、種々のサイズを用いることができる。
【００１９】
次に、本考案の実施例１に係る脱毛部サイズ測定用定規１０の使用方法を説明する。
図１〜図４に示すように、頭頂部脱毛タイプ用の部分かつらを取得するため、インターネット上のかつら販売店から着用者の脱毛部サイズに合った部分かつらを購入する場合には、まずインターネット上のかつら販売店のホームページにアクセスし、そこでＳＭＬの３種類の脱毛部サイズ測定用定規１０の二次元画像データを自宅のパソコンにインストールする。次に、自宅のプリンタにおいて、Ａ４サイズの普通紙にＳＭＬの脱毛部サイズ測定用定規１０をプリントアウトし（図２）、それらを輪郭線に沿ってハサミでカットする。
【００２０】
次に、得られたＳＭＬサイズの各脱毛部サイズ測定用定規１０（図１）を着用者の頭頂部に当てがい、脱毛部サイズを測定する（図３および図４）。具体的には、順次選出されたＳＭＬサイズの脱毛部サイズ測定用定規１０において、まず定規基部１１を頭頂部に当てがい、この状態を保持して、各枝状定規部１２Ａ〜１２Ｅを頭部に押し当てながらそれぞれの先端が頭皮の外周縁のうち、前頭部の部分、左側頭部の部分、右側頭部の部分、左側後頭部の部分および右側後頭部の部分にそれぞれ配置されるかを、鏡などを用いて視認する。
【００２１】
そして、ＳＭＬサイズの脱毛部サイズ測定用定規１０のうち、該当したものが着用者の頭頂部の脱毛部のサイズと推定する。これにより、簡単かつ安価に着用者の頭部のサイズを測定することができる。
その後、判明した着用者の脱毛部サイズを上記ホームページ上の注文書に書き込み、かつら販売店へそれを送信する。後日、注文した部分かつらが届いたなら、必要に応じてその部分かつらを着用者の頭髪の脱毛部に合わせて補正カットする。こうして、着用者専用の部分かつらを取得することができる。
【００２２】
また、脱毛部サイズ測定用定規１０では、定規基部１１に、前頭部、左側頭部、右側頭部、左側後頭部および右側後頭部のうち、それぞれ対応する何れか１つに先端が当てがわれる５本の枝状定規部１２Ａ〜１２Ｅを形成したので、着用者の脱毛部サイズをその周方向へ略７２°毎に測定評価することができる。その結果、脱毛部サイズの測定精度を高めることができる。
なお、部分かつらの着用時には、例えば図２の二点鎖線で示す各膨出部１３に対する内接円、外接円の間の部分にポリウレタンフィルムを貼着し、頭皮とポリウレタンフィルムの間に両面テープを貼って、頭皮とかつらとを固定するようにしてもよい。また、両面テープあるいはクリップなどを用いて、各膨出部１３と残りの髪の毛とを固定するようにしてもよい。
【産業上の利用可能性】
【００２３】
本考案は、部分かつら着用者の頭頂部の脱毛部サイズの簡易な測定用具として有用である。
【符号の説明】
【００２４】
１０  脱毛部サイズ測定用定規
１１  定規基部
１２Ａ〜１２Ｅ  枝状定規部
１３  膨出部
【図１】
0003163135.tif 000003
【図２】
0003163135.tif 000004
【図３】
0003163135.tif 000005
【図４】
0003163135.tif 000006